(57)【特許請求の範囲】
【請求項１】
建造物の壁面等に設けられたガス配管に連結されたガスメータと、このガスメータに設けられガスの積算流量を指示するとともに一部に光を反射する反射箔を設けた文字車およびこの文字車を包囲しかつ突起部を一体に設けたカバー部材とを有する指示部と、
上記突起部に係合することによって上記カバー部材に着脱自在に係止される係合部を有した装置本体と、
上記装置本体の内部に設けられ、上記装置本体がカバー部材に係止した際に、上記指示部の文字車に相対しかつこの文字車の反射箔に向けて光を発するとともにその反射光を捕らえてパルス信号を発する光センサ部と、
上記光センサ部を制御しかつ光センサ部からの信号を処理するとともにメモリへの書き込み機能を有するコントローラと、
上記コントローラから送られてくるデータを記憶するメモリとを備え、
上記カバー部材は、外周部と、上記文字車と相対する部分に上記外周部よりも一段低く凹状に形成されかつ透明な材質から構成された透明部と、上方に向かって凸に形成された上記突起部とを有し、
上記装置本体は、上記外周部と透明部とが形成する凹みに係合する凸部と、上記カバー部材の左右方向から上記突起部に係合する上記係合部とを有し、
上記凸部を上記透明部に当接させた状態において上記係合部を上記左右方向から上記突起部に係合させることにより上記装置本体を上記ガスメータに取り付けることができるようにしたことを特徴とするデータ収集装置。
【発明の詳細な説明】
【０００１】
【発明の属する技術分野】
本発明は、ガスメータ等の負荷パターンを計測し、収集するデータ収集装置に関する。
【０００２】
【従来の技術】
従来、図９に示すガスの負荷パターン３７を計測するために、図１０に例示するようなデータ収集装置４０や、特開平７−１６８８５６号公報に示されるようなデータ収集装置が用いられていた。上記ガスの負荷パターン３７とは、時間経過に対するガスの瞬間流量の変化を示すものである。図９においては時間を横軸にとり、ガスの瞬間流量を縦軸にとって上記ガスの負荷パターン３７を示している。
【０００３】
図１０に例示した従来のデータ収集装置４０は、データロガー４１とデータ回収装置４２とを備えている。上記データロガー４１はガスメータ２に隣接して設置されかつ内部にデータ処理部４３と固定メモリ４４と通信処理部４５とを備えている。データ処理部４３はガスメータ２に取付けられた流量パルス発信器４６とコード等で接続されており、この発信器４６から送られる発信パルスを基にして、３０分あるいは１時間等の単位時間に到来するパルスパターンを算出して、固定メモリ４４に記憶させる。
【０００４】
上述した構成のデータロガー４１からデータを回収する際は、作業員が例えば月に一度、データ回収装置４２を携帯して巡回し、データロガー４１にデータ回収装置４２を装着して、固定メモリ４４内に保持されたデータを通信処理部４５を介してデータ回収装置４２内に取り込む。その後、データ回収装置４２を取り外して、データ回収装置４２を持ち帰り、データを解析する装置（図示せず）を用いて、データの解析を行う。
【０００５】
また、上記特開平７−１６８８５６号公報に示されたデータ収集装置は、上述したデータ収集装置４０において、データ回収装置４２と通信処理部４５とのかわりにメモリカードとメモリカードライタとを用いて、固定メモリ４４内に保持されたデータを回収するようになっている。
【０００６】
【発明が解決しようとする課題】
上述したデータ収集装置は、共に、ガスメータ２に取り付けられた流量パルス発信器４６と分離されているので、データロガー４１あるいはデータ収集装置と流量パルス発信器４６とを互いにコードなどで結線する必要がある。この結線作業に長い時間を費やす必要があって作業効率を低下させる要因となるとともに、結線不良の原因にもなっていた。
【０００７】
また、集合住宅等のガスメータを設置したピット内は非常に狭く、かつその中にはガスメータだけではなく水道メータ、電力メータ及び灯油メータ等も共に設置されているため空きスペースが殆どないのが現状である。このため、上述したデータロガー４１等を設置するためのスペースを確保するのが問題となっていた。
【０００８】
また、上記ピットには、ガスメータの検針員だけでなく、水道メータ、電力メータ及び灯油メータの検針員がそれぞれのメータを検針しに来る。そのとき、ガスメータと別体に設けられたデータロガー４１等が他のメータの検針員の作業の妨げになる恐れがあった。
【０００９】
本発明は前記事情に着目してなされたもので、その目的とするところは、ガスメータに取付ける際に結線作業等が不必要でかつ極めて容易に取付けることが可能であるとともに、小型で特有の設置スペースを必要としないデータ収集装置を提供することにある。
【００１０】
【課題を解決するための手段】
上記課題を解決し目的を達成するために、本発明のデータ収集装置は、建造物の壁面等に設けられたガス配管に連結されたガスメータと、このガスメータに設けられガスの積算流量を指示するとともに一部に光を反射する反射箔を設けた文字車およびこの文字車を包囲しかつ突起部を一体に設けたカバー部材とを有する指示部と、上記突起部に係合することによって上記カバー部材に着脱自在に係止される係合部を有した装置本体と、上記装置本体の内部に設けられ、上記装置本体がカバー部材に係止した際に、上記指示部の文字車に相対しかつこの文字車の反射箔に向けて光を発するとともにその反射光を捕らえてパルス信号を発する光センサ部と、上記光センサ部を制御しかつ光センサ部からの信号を処理するとともにメモリへの書き込み機能を有するコントローラと、上記コントローラから送られてくるデータを記憶するメモリとを備え、上記カバー部材は、外周部と、上記文字車と相対する部分に上記外周部よりも一段低く凹状に形成されかつ透明な材質から構成された透明部と、上方に向かって凸に形成された上記突起部とを有し、上記装置本体は、上記外周部と透明部とが形成する凹みに係合する凸部と、上記カバー部材の左右方向から上記突起部に係合する上記係合部とを有し、上記凸部を上記透明部に当接させた状態において上記係合部を上記左右方向から上記突起部に係合させることにより上記装置本体を上記ガスメータに取り付けることができるようにしたことを特徴としている。
【００１１】
上記データ収集装置は、装置本体の係合部とガスメータのカバー部材の突起部との係合によってカスメータに取り付けられるので、取り付け作業が極めて容易になる。
【００１２】
また、装置本体に光センサ部を内蔵し、この光センサ部が、ガスの使用とともに回転しかつ一部に反射箔を設けた文字車に面して取り付けられているので、データ収集装置はガスメータとコード等で結線されずにガスの使用を検知することができ、ガスの負荷パターンを収集できるようになる。
さらに、光センサ部とコントローラとメモリとを装置本体に内蔵しているので、装置の小型化が可能となる。
【００１３】
【発明の実施の形態】
以下、本発明の一実施形態を図面に基づいて説明する。
図１は本発明のデータ収集装置１の概略構成を示すブロック図、図２は同装置１とガスメータ２とを示す斜視図である。
【００１４】
図２に示すようにガスメータ２は、ダイキャスト等からなりかつガスメータ２の外郭を構成するガスメータ本体３と、ガスメータ２内を流れるガスの流量を指示する指示部４と、ガスメータ本体３の上部に設けられたガス流入口５とガス流出口６とを備えている。
【００１５】
上記ガスメータ２は、例えば建造物等の壁面に沿って配設されたガス配管に連結され、かつ上記ガスメータ本体３のガス流入口５から流入し、計量室を経由してガス流出口６から流出するガスの流量を検出して上記指示部４に表示する機能を有している。
【００１６】
上記指示部４は、ガスの流量とともに回転しかつ外周面７に０から９までの数字を形成した複数の文字車８と、この文字車８を包囲し上記ガスメータ本体３に密に取り付けられるカバー部材９とを備えている。上記文字車８のうち最小桁を示す文字車１０（図２中の最も右に位置する文字車）の外周面７の一部には、図１に示すように例えばアルミ箔等からなる反射箔１１が設けられている。
【００１７】
上記カバー部材９は、図２に示すようにガスメータ本体３にねじ１２等によって固定されている。カバー部材９は、上記文字車８に相対する部分に、外周部１３よりも一段低く凹状に形成されかつ透明な材質から構成された透明部１４を有している。カバー部材９は、上記ガスメータ本体３に接しかつ最小桁を表示する文字車１０の略上方に位置する端部１５から上方に向かって凸に形成された突起部１６を設けている。
【００１８】
この突起部１６は、上記カバー部材９とガスメータ本体３とが互いに密に固定されているため、ガスメータ２の点検等の際にマイナスドライバ等をこの突起部１６とガスメータ本体３との間に圧入して、カバー部材９をガスメータ本体３から取り外しやすくする機能を有している。
【００１９】
上記データ収集装置１は、図１に示すように装置本体１７に内蔵された光センサ１８部と、コントローラ１９と、メモリ２０と、電池２１と、スタートスイッチ２２等を備えている。
【００２０】
上記装置本体１７は、図２に示すように平板状に形成されかつ装置本体１７の上方に位置する上面部材２３と、同じく平板状に形成されかつガスメータ２に取り付けられた際にガスメータ２から最も離れる背面部材２４と、箱状に形成された側部部材２５とから構成されている。
【００２１】
上記上面部材２３は図２及び図５に示すようにねじ２６によって側部部材２５と互いに固定されるとともに、上記背面部材２４は図２及び図６に示すようにねじ２７によって側部部材２５と互いに固定されて、上記光センサ部１８等を外部環境から保護している。
【００２２】
上記側部部材２５の上記背面部材２４と反対側に位置する底部２８は、図３に示すように、装置本体１７がガスメータ２に取り付けられた際に、上記カバー部材９の透明部１４と外周部１３とが形成する凹凸に係合する凸部２９が設けられている。
【００２３】
上記上面部材２３には、側部部材２５の底部２８が上記カバー部材９の透明部１４と接した状態でデータ収集装置１をガスメータ２に固定するために、図５に示すように、ガスメータ本体３の左右方向から上記カバー部材９の突起部１６に係合する係合部３０が設けられている。
【００２４】
図示例において、上記突起部１６は最小桁を示す文字車１０の略上方に設けられているため、上記係合部３０はガスメータ本体３に対し最大桁を表示する文字車３１（図２に示す）から最小桁を表示する文字車１０にむかって係合するように、図５に示すように上方からみて右側面部３２に設けられかつ左側面部３３へ向かって凹状に形成されている。
【００２５】
上記光センサ部１８は、図１に示すように、発光部３４と受光部３５とこの受光部３５に接続されたパルス発信器３６とを備えている。上記発光部３４は上記コントローラ１９からの命令に従って発光する機能を有している。上記受光部３５が光を受信するとパルス発信器３６へ信号を伝達し、パルス発信器３６はコントローラ１９に向かってパルス信号を発するようになっている。
【００２６】
また、上記光センサ部１８は、図４に示すように、上記装置本体１７の係合部３０とカバー部材９の突起部１６とが互いに係合した際に、上記装置本体１７の側部部材２５の底部２８の上記最小桁を示す文字車１０に相対する位置に設けられている。
【００２７】
上記コントローラ１９は、上記光センサ部１８を制御しかつ光センサ部１８のパルス発信器３６からのパルス信号を処理するとともに、このパルス信号を基に単位時間あたりのパルスパターンを算出して上記メモリ２０へ書き込む機能を有している。
【００２８】
上記メモリ２０は、上記コントローラ１９から送られてくるデータを記憶する機能を有している。またメモリ２０は、データ収集装置１のデータ収集期間が例えば３ケ月等の比較的長期間に亘る場合において、装置本体１７に対し着脱自在に構成して、データを保持したメモリ２０のみを交換することによってデータ収集を継続できるようにしても良い。
【００２９】
上記電池２１は、上記光センサ部１８とコントローラ１９とメモリ２０とに必要な電力を供給するようになっている。上記スタートスイッチ２２は、図３及び図４に示すように側部部材２５の下面に設けられ、作業員が操作することによって、データ収集装置１（主にコントローラ１９）の作動・非作動を切り替えるようになっている。
【００３０】
前述した構成により、ガスメータ２に取り付けられる際に、まず上記データ収集装置１は、図７に示すように、カバー部材９の透明部１４の最大桁を示す文字車３１側に側部部材２５の底部２８を当接される。その後、図７に示す矢印Ｋ方向に沿って装置１を移動させて、図８に示すように上面部材２３の係合部３０とカバー部材９の突起部１６とを互いに係合させて、装置１とガスメータ２とはあたかも一体となって互いに固定される。なお、上記底部２８に設けられた光センサ部１８は、上記指示部４の最小桁を示す文字車１０に相対する状態となっている。
【００３１】
そして、作業者等がスタートスイッチ２２を用いて装置１を作動させる。するとコントローラ１９が光センサ部１８の発光部３４を継続的に発光させることとなる。ガスが使用されガスメータ２内にガスが流れると、最小桁を示す文字車１０が回転し、図１に示すように反射箔１１が上記光センサ部１８に相対する位置に来る。そして上記反射箔１１が上記発光部３４からの光を反射し、受光部３５がこの反射された光を受信することとなる。
【００３２】
受光部３５が光を受信するとパルス発信器３６がコントローラ１９にパルス信号を送る。コントローラ１９はこのパルス信号を基にして単位時間当りのパルスパターンを算出してメモリ２０に記録させる。そして、メモリ２０には、図９に示すようなガスの負荷パターン３７が記憶されることとなる。
【００３３】
１月後あるいは３月後等の任意の時間が経過した後、作業員は、スタートスイッチ２２を用いて装置を非作動状態にしてガスメータ２から取り外して持ち帰り、図示しないデータ解析装置でデータの解析を行う。
【００３４】
また、メモリ２０を装置本体１７に対し着脱自在に構成した場合には、作業員がメモリ２０だけを交換し持ち帰ってデータ解析をすることにより、３ケ月間以上の長期間に亘るデータ収集も可能となる。
【００３５】
上述したように、上記データ収集装置１は、光センサ部１８とコントローラ１９とメモリ２０と電池２１とを備えているので、上記係合部３０と突起部１６との係合によってガスメータ２に取り付ければ良く、結線作業等を必要としない。
【００３６】
また、このガスメータ２への取り付けは、図７及び図８に示すように工具を使わずに簡単にできかつ簡単に取り外すことができるとともに、作業員は、データ収集装置１を取り付けた後、スタートスイッチ２２を用いて装置１を作動するだけで良いため、作業時間を短縮でき作業効率を向上することとなる。
【００３７】
【発明の効果】
本発明によれば、装置本体に光センサ部を内蔵し、かつ装置本体の係合部とガスメータの指示部のカバー部材の突起部との係合によってガスメータに対し固定されるので、取付け時に結線作業がまったく必要なくなる。
【００３８】
したがって、誤配線をすることもなく、容易に取付けることが可能となって、取付け作業に必要とされる作業時間が短縮されかつ作業効率が向上することとなる。
【００３９】
また、光センサとコントローラとメモリとを装置本体に内蔵しかつ上記装置本体の係合部とカバー部材の突起部との係合によって固定されるので、装置の小型化が可能となるとともに、データ収集装置とガスメータとがあたかも一体となって互いに固定されるので特有の設置スペースを必要としなくなる。したがって、他のメータの検針員の作業を妨げることがない。
【図面の簡単な説明】
【図１】本発明の一実施形態を示すデータ収集装置の概略構成を示すブロック図。
【図２】同実施形態のデータ収集装置とガスメータとを示す斜視図。
【図３】同実施形態のデータ収集装置の側面図。
【図４】図３中の矢印ｉｖ方向から見た図。
【図５】図３中の矢印ｖ方向から見た図。
【図６】図３中の矢印ｖｉ方向から見た図。
【図７】同実施形態のデータ収集装置のガスメータへの取付け状況を示す斜視図。
【図８】同実施形態のデータ収集装置のガスメータへの取付け状況を示す斜視図。
【図９】ガスの負荷パターンの一例を示す図。
【図１０】従来のデータ収集装置の概略構成を示すブロック図。
【符号の説明】
１…データ処理装置
２…ガスメータ
４…指示部
８…文字車
９…カバー部材
１０…文字車
１１…反射箔
１６…突起部
１７…装置本体
１８…光センサ部
１９…コントローラ
２０…メモリ
３０…係合部
３１…文字車
【図１】
0004167314.tif 000002
【図２】
0004167314.tif 000003
【図３】
0004167314.tif 000004
【図４】
0004167314.tif 000005
【図５】
0004167314.tif 000006
【図６】
0004167314.tif 000007
【図７】
0004167314.tif 000008
【図８】
0004167314.tif 000009
【図９】
0004167314.tif 000010
【図１０】
0004167314.tif 000011